(57)【要約】【課題】表示画面の見栄えのよい表示装置を提供する。  【解決手段】表示装置１００では、板部材３０が弾性部材４０により上方に付勢されることにより、板部材３０の上面の端縁はベゼル部１２の内壁面１３Ａ，１３Ｃに当接する。これにより、板部材３０とベゼル部１２との隙間がなくなり、ユーザが上方より表示装置１００を見た場合、ベゼル部１２によりタッチパネル２０の端縁２１Ａ，２１Ｃが隠れ、見栄えがよくなる。また、板部材３０が熱膨張等で膨張した場合は、板部材３０はベゼル部１２のテーパ状に形成された内壁面１３Ａ，１３Ｃをスライドし、下方に移動する。また、熱収縮等で収縮した場合は、板部材３０は上方に付勢されているため、ベゼル部１２のテーパ状に形成された内壁面１３Ａ，１３Ｃをスライドし、上方に移動する。このため、板部材３０と支持枠１０との隙間がない状態を保つことができる。【選択図】図２
2010020057.tif 000002
【特許請求の範囲】
【請求項１】
像を形成する表示部材と、前記表示部材で形成された像を透過する透明部材と、前記透明部材の周縁を覆う額縁状の支持枠とを備えた表示装置であって、
前記支持枠は、
前記透明部材の表面の周縁を覆う枠状のベゼル部を備え、
前記ベゼル部における前記透明部材に向けられた内壁面は、前記透明部材の表面側から裏面側に向かう方向に従って外方に傾斜するテーパ状に形成されており、
前記透明部材の端縁が前記内壁面と当接するように、前記透明部材が前記ベゼル部側に付勢されて配置されていることを特徴とする表示装置。
【請求項２】
前記ベゼル部に相対する位置に固定され、前記透明部材と所定間隔を隔てて対向配置された支持部材を備え、
前記支持部材と前記透明部材との間に設けられた弾性部材の弾性により、前記透明部材が前記ベゼル部側に付勢されていることを特徴とする請求項１に記載の表示装置。
【請求項３】
前記弾性部材は、前記表示部材の厚みより大きな厚みを有し、前記表示部材の周囲を覆うように前記支持部材の前記ベゼル部側の面に設けられ、
前記透明部材は、
前記弾性部材により支持され、透過性を有する板状の板部材と、
前記板部材の前記ベゼル部側の面且つ前記板部材の端縁の内側に設けられたタッチパネルと
を備え、
前記板部材は、前記弾性部材により前記支持部材の前記ベゼル部側の面から離間する方向に付勢され、前記板部材の前記ベゼル部側の面の端縁が前記ベゼル部の前記内壁面に当接していることを特徴とする請求項２に記載の表示装置。
【請求項４】
前記板部材の周端面は、前記ベゼル部側の面から前記ベゼル部側の面と対向する面に向かう方向に従って外方に傾斜するテーパ状に形成され、前記ベゼル部の前記内壁面の少なくとも一部に密接していることを特徴とする請求項３に記載の表示装置。
【請求項５】
前記ベゼル部の前記内壁面は、前記支持枠の内側から外側に突出するように湾曲した形状を有していることを特徴とする請求項１乃至４のいずれかに記載の表示装置。
【請求項６】
前記板部材の周端面は、外方に突出するように湾曲した形状であり、前記ベゼル部の前記内壁面の少なくとも一部に密接することを特徴とする請求項５に記載の表示装置。
【請求項７】
前記板部材は、透過性を有する樹脂により形成され、
前記タッチパネルは、フィルムフィルム形式のタッチパネルであることを特徴とする請求項３乃至６のいずれかに記載の表示装置。
【請求項８】
像を形成する表示部材と、前記表示部材の周縁を覆う額縁状の支持枠とを備えた表示装置であって、
前記支持枠は、
前記表示部材の表面の周縁を覆う枠状のベゼル部を備え、
前記ベゼル部における前記表示部材に向けられた内壁面は、前記表示部材の表面側から裏面側に向かう方向に従って外方に傾斜するテーパ状に形成されており、
前記表示部材の端縁が前記内壁面と当接するように、前記表示部材が前記ベゼル部側に付勢されて配置されていることを特徴とする表示装置。
【請求項９】
前記ベゼル部に相対する位置に固定され、前記表示部材と所定間隔を隔てて対向配置された支持部材を備え、
前記支持部材と前記表示部材との間に設けられた弾性部材の弾性により、前記表示部材が前記ベゼル部側に付勢されていることを特徴とする請求項８に記載の表示装置。
【請求項１０】
前記弾性部材は、前記表示部材の周囲を覆うように前記支持部材の前記ベゼル部側の面に設けられ、
前記表示部材は、前記弾性部材により前記支持部材の前記ベゼル部側の面から離間する方向に付勢され、前記板部材の上面の端縁が前記ベゼル部の前記内壁面に当接していることを特徴とする請求項９に記載の表示装置。
【請求項１１】
前記表示部材の周端面は、前記ベゼル部側の面から前記ベゼル部側の面と対向する面に向かう方向に従って外方に傾斜するテーパ状に形成され、前記ベゼル部の前記内壁面の少なくとも一部に密接していることを特徴とする請求項１０に記載の表示装置。
【請求項１２】
前記ベゼル部の前記内壁面は、前記支持枠の内側から外側に突出するように湾曲した形状を有していることを特徴とする請求項８乃至１１のいずれかに記載の表示装置。
【請求項１３】
前期表示部材の周端面は、外方に突出するように湾曲した形状であり、前記ベゼル部の前記内壁面の少なくとも一部に密接することを特徴とする請求項１２に記載の表示装置。
【発明の詳細な説明】
【技術分野】
【０００１】
本発明は、表示装置に関するものであり、詳細には、表示画面の見栄えのよい表示装置に関するものである。
【背景技術】
【０００２】
従来、液晶パネルを備えた液晶表示装置において薄型化を実現する技術が知られている（例えば、特許文献１参照）。この特許文献１に記載の液晶表示装置では、表示窓を上面に形成した額縁状の金属フレームにより、２枚のガラスで構成された液晶表示パネルが表示窓を通して外方に向くように金属フレームの内側に収納されている。また、金属フレームの表示窓部の下面と、液晶表示パネルとの間に挟み込むようにダミーゴムが設けられている。そして、表示窓が形成された金属フレームの表示窓部分の内周縁部を短くし、表示窓を通して表示される液晶パネルの高さと、金属フレームの上面の高さを略同高さに固定することで、液晶表示装置の薄型化を実現できる。その際、金属フレームと液晶パネルの間に挟み込まれたダミーゴムが液晶パネルの振動、衝撃などの機械的ストレスを十分に防ぐことができるため、液晶表示装置の薄型化における性能低下を防ぐことができる。また、表示窓を構成する金属フレームの内周縁部を表示画面となる上側ガラスの外周側に配置するという簡単な構成のため、コストアップを来たすことなく液晶表示装置の薄型化を実現できる。
【特許文献１】特開２００１−１１７０７７号公報
【発明の開示】
【発明が解決しようとする課題】
【０００３】
しかしながら、特許文献１に記載の発明の液晶表示装置では、液晶パネルと金属フレームの間に隙間ができてしまい、見栄えが良くないという問題点があった。
【０００４】
そこで、本発明は、上述した問題を解決するためになされたものであり、表示画面の見栄えのよい表示装置を提供することを目的とする。
【課題を解決するための手段】
【０００５】
上記目的を達成するために、請求項１に係る発明の表示装置は、像を形成する表示部材と、前記表示部材で形成された像を透過する透明部材と、前記透明部材の周縁を覆う額縁状の支持枠とを備えた表示装置であって、前記支持枠は、前記透明部材の表面の周縁を覆う枠状のベゼル部を備え、前記ベゼル部における前記透明部材に向けられた内壁面は、前記透明部材の表面側から裏面側に向かう方向に従って外方に傾斜するテーパ状に形成されており、前記透明部材の端縁が前記内壁面と当接するように、前記透明部材が前記ベゼル部側に付勢されて配置されていることを特徴とする。
【０００６】
また、本発明の請求項２に係る表示装置は、請求項１に記載の発明の構成に加え、前記ベゼル部に相対する位置に固定され、前記透明部材と所定間隔を隔てて対向配置された支持部材を備え、前記支持部材と前記透明部材との間に設けられた弾性部材の弾性により、前記透明部材が前記ベゼル部側に付勢されていることを特徴とする。
【０００７】
また、本発明の請求項３に係る表示装置は、請求項２に記載の発明の構成に加え、前記弾性部材は、前記表示部材の厚みより大きな厚みを有し、前記表示部材の周囲を覆うように前記支持部材の前記ベゼル部側の面に設けられ、前記透明部材は、前記弾性部材により支持され、透過性を有する板状の板部材と、前記板部材の前記ベゼル部側の面且つ前記板部材の端縁の内側に設けられたタッチパネルとを備え、前記板部材は、前記弾性部材により前記支持部材の前記ベゼル部側の面から離間する方向に付勢され、前記板部材の前記ベゼル部側の面の端縁が前記ベゼル部の前記内壁面に当接していることを特徴とする。
【０００８】
また、本発明の請求項４に係る表示装置は、請求項３に記載の発明の構成に加え、前記板部材の周端面は、前記ベゼル部側の面から前記ベゼル部側の面と対向する面に向かう方向に従って外方に傾斜するテーパ状に形成され、前記ベゼル部の前記内壁面の少なくとも一部に密接していることを特徴とする。
【０００９】
また、本発明の請求項５に係る表示装置は、請求項１乃至４のいずれかに記載の発明の構成に加え、前記ベゼル部の前記内壁面は、前記支持枠の内側から外側に突出するように湾曲した形状を有していることを特徴とする。
【００１０】
また、本発明の請求項６に係る表示装置は、請求項５に記載の発明の構成に加え、前記板部材の周端面は、外方に突出するように湾曲した形状であり、前記ベゼル部の前記内壁面の少なくとも一部に密接することを特徴とする。
【００１１】
また、本発明の請求項７に係る表示装置は、請求項３乃至６のいずれかに記載の発明の構成に加え、前記タッチパネルは、フィルムフィルム形式のタッチパネルであることを特徴とする。
【００１２】
また、本発明の請求項８に係る表示装置は、像を形成する表示部材と、前記表示部材の周縁を覆う額縁状の支持枠とを備えた表示装置であって、前記支持枠は、前記表示部材の表面の周縁を覆う枠状のベゼル部を備え、前記ベゼル部における前記表示部材に向けられた内壁面は、前記表示部材の表面側から裏面側に向かう方向に従って外方に傾斜するテーパ状に形成されており、前記表示部材の端縁が前記内壁面と当接するように、前記表示部材が前記ベゼル部側に付勢されて配置されていることを特徴とする。
【００１３】
また、本発明の請求項９に係る表示装置は、請求項８に記載の発明の構成に加え、前記ベゼル部に相対する位置に固定され、前記表示部材と所定間隔を隔てて対向配置された支持部材を備え、前記支持部材と前記表示部材との間に設けられた弾性部材の弾性により、前記表示部材が前記ベゼル部側に付勢されていることを特徴とする。
【００１４】
また、本発明の請求項１０に係る表示装置は、請求項９に記載の発明の構成に加え、前記弾性部材は、前記表示部材の周囲を覆うように前記支持部材の前記ベゼル部側の面に設けられ、前記表示部材は、前記弾性部材により前記支持部材の前記ベゼル部側の面から離間する方向に付勢され、前記板部材の上面の端縁が前記ベゼル部の前記内壁面に当接していることを特徴とする。
【００１５】
また、本発明の請求項１１に係る表示装置は、請求項１０に記載の発明の構成に加え、前記表示部材の周端面は、前記ベゼル部側の面から前記ベゼル部側の面と対向する面に向かう方向に従って外方に傾斜するテーパ状に形成され、前記ベゼル部の前記内壁面の少なくとも一部に密接していることを特徴とする。
【００１６】
また、本発明の請求項１２に係る表示装置は、請求項８乃至１１のいずれかに記載の発明の構成に加え、前記ベゼル部の前記内壁面は、前記支持枠の内側から外側に突出するように湾曲した形状を有していることを特徴とする。
【００１７】
また、本発明の請求項１３に係る表示装置は、請求項１２に記載の発明の構成に加え、前期表示部材の周端面は、外方に突出するように湾曲した形状であり、前記ベゼル部の前記内壁面の少なくとも一部に密接することを特徴とする。
【発明の効果】
【００１８】
本発明の請求項１に係る表示装置では、支持枠を形成するベゼル部の内壁面は、透明部材の表面側から裏面方向に向かうに従って外方に傾斜するテーパ状に形成され、透明部材の表面の端縁はベゼル部の内壁面に付勢されることで当接している。これにより、透明部材が熱膨張等で膨張した場合、透明部材の周端部がベゼル部のテーパ状の内壁面に沿って、ベゼル部の内壁面に当接した状態を保ちながら下方に移動する。その結果、透明部材が膨張しても、表示装置が歪んだり、壊れることがなくなる。また、ユーザが上方より表示装置を見た場合に、透明部材の端縁がベゼル部の内壁面により隠されるため、透明部材と支持枠との隙間が見えなくなり、見栄えがよくなる。
【００１９】
また、本発明の請求項２に係る表示装置では、請求項１に記載の発明の効果に加え、支持部材がベゼル部と相対する位置に固定され、支持部材と透明部材との間に設けられた弾性を有する弾性部材により、透明部材がベゼル部に付勢される。透明部材が熱膨張等で膨張した場合、透明部材はベゼル部のテーパ状の内壁面をスライドし、下方に移動する。また、熱収縮等で収縮した場合、透明部材は弾性部材により上方に付勢されているため、ベゼル部のテーパ状の内壁面をスライドし、上方に移動する。このため、透明部材と支持枠との隙間がない状態を保つことができる。これにより、ユーザが上方より表示装置を見た場合に、透明部材の端縁がベゼル部の内壁面により隠されるため、透明部材と支持枠との隙間が見えなくなり、見栄えがよくなる。また、透明部材が膨張しても、表示装置が歪んだり、壊れることがなくなる。
【００２０】
また、本発明の請求項３に係る表示装置では、請求項２に記載の発明の効果に加え、板部材が弾性部材により上方に付勢されることにより、板部材の上面の端縁は、ベゼル部の内壁面に当接する。これにより、板部材と支持枠との隙間がなくなり、ユーザが上方より表示装置を見た場合に、見栄えがよくなる。また、板部材が熱膨張等で膨張した場合、板部材はベゼル部のテーパ状の内壁面をスライドし、下方に移動する。また、熱収縮等で収縮した場合、板部材は上方に付勢されているため、ベゼル部のテーパ状の内壁面をスライドし、上方に移動する。このため、板部材と支持枠との隙間がない状態を保つことができる。よって、埃などのゴミが表示装置の内部に入るということがなくなる。また、板部材は固定されていないため、熱膨張により板部材が膨張し反り返ることがなくなるため、タッチパネルが板部材より剥がれることがなくなる。
【００２１】
また、本発明の請求項４に係る表示装置では、請求項３に記載の発明の効果に加え、板部材が弾性部材により上方に付勢されることにより、板部材の周端面は、ベゼル部の内壁面の少なくとも一部に密接する。また、板部材が熱膨張等で膨張した場合、テーパ状の内壁面をスライドし、下方に板部材が移動するため、板部材と支持枠との隙間がない状態を保つことができる。また、板部材が熱収縮等で収縮した場合、板部材は上方に付勢されているため、ベゼル部のテーパ状の内壁面をスライドし、上方に移動する。このため、板部材と支持枠との隙間がない状態を保つことができる。その結果、板部材と支持枠は密接し、隙間がなくなるため、ユーザが上方より表示装置を見た場合に、見栄えがよくなる。また、板部材と支持枠との隙間がないため埃などのゴミが表示装置の内部に入るということがなくなる。また、板部材は固定されていないため、熱膨張により板部材が膨張し反り返ることがなくなるため、タッチパネルが板部材より剥がれることがなくなる。
【００２２】
また、本発明の請求項５に係る表示装置では、請求項１乃至４のいずれかに記載の発明の効果に加え、ベゼル部の内壁面は、支持枠の内側より外側に突出するように湾曲した形状を有している。そして、板部材が、弾性部材により上方に付勢されることにより、板部材の上面の端縁は、ベゼル部の内壁面に当接する。これにより、板部材と支持枠との隙間がなくなり、ユーザが上方より表示装置を見た場合に、見栄えがよくなる。また、板部材が熱膨張等で膨張した場合、板部材はベゼル部の湾曲状の内壁面をスライドし、下方に移動する。また、板部材が熱収縮等で収縮した場合は、上方に付勢されているため、ベゼル部の湾曲状の内壁面をスライドし、上方に移動する。このため、板部材と支持枠との隙間がない状態を保つことができる。よって、埃などのゴミが表示装置の内部に入るということがなくなる。また、板部材は固定されていないため、熱膨張により板部材が膨張し反り返ることがなくなるため、タッチパネルが板部材より剥がれることがなくなる。
【００２３】
また、本発明の請求項６に係る表示装置では、請求項５に記載の発明の効果に加え、板部材が弾性部材により上方に付勢されることにより板部材の周端面は、ベゼル部の内壁面の少なくとも一部に密接する。また、熱膨張等で板部材が膨張した場合は、湾曲状の内壁面をスライドし、下方に板部材が移動するため、板部材と支持枠との隙間がない状態を保つことができる。また、板部材が熱収縮等で収縮した場合、板部材は上方に付勢されているため、ベゼル部の湾曲状の内壁面をスライドし、上方に移動する。このため、板部材と支持枠との隙間がない状態を保つことができる。その結果、板部材と支持枠は密接し、隙間がなくなるため、ユーザが上方より表示装置を見た場合に、見栄えがよくなる。また、板部材と支持枠との隙間がないため埃などのゴミが表示装置の内部に入るということがなくなる。また、板部材は固定されていないため、熱膨張により板部材が膨張し反り返ることがなくなるため、タッチパネルが板部材より剥がれることがなくなる。
【００２４】
また、本発明の請求項７に係る表示装置では、請求項３乃至６のいずれかに記載の発明の効果に加え、タッチパネルは、フィルムフィルム形式のタッチパネルであり、板部材は樹脂製である。これにより、表示装置の薄型化を実現できると共に、軽量化が可能となる。
【００２５】
また、本発明の請求項８に係る表示装置では、支持枠を形成するベゼル部の内壁面は、表示部材の表面側から裏面方向に向かうに従って外方に傾斜するテーパ状に形成され、表示部材の表面の端縁はベゼル部の内壁面に付勢されることで当接している。これにより、表示部材が熱膨張等で膨張した場合、表示部材の周端部がベゼル部のテーパ状の内壁面に沿って、ベゼル部の内壁面に当接した状態を保ちながら下方に移動する。その結果、表示部材が膨張しても、表示装置が歪んだり、壊れることがなくなる。また、ユーザが上方より表示装置を見た場合に、表示部材の端縁がベゼル部の内壁面により隠されるため、表示部材と支持枠との隙間が見えなくなり、見栄えがよくなる。
【００２６】
また、本発明の請求項９に係る表示装置では、請求項８に記載の発明の効果に加え、支持部材がベゼル部と相対する位置に固定され、支持部材と表示部材との間に設けられた弾性を有する弾性部材により、表示部材がベゼル部に付勢される。表示部材が熱膨張等で膨張した場合、表示部材はベゼル部のテーパ状の内壁面をスライドし、下方に移動する。また、熱収縮等で収縮した場合、表示部材は弾性部材により上方に付勢されているため、ベゼル部のテーパ状の内壁面をスライドし、上方に移動する。このため、表示部材と支持枠との隙間がない状態を保つことができる。これにより、ユーザが上方より表示装置を見た場合に、表示部材の端縁がベゼル部の内壁面により隠されるため、表示部材と支持枠との隙間が見えなくなり、見栄えがよくなる。そして、表示部材が膨張しても、表示装置が歪んだり、壊れることがなくなる。
【００２７】
また、本発明の請求項１０に係る表示装置では、請求項９に記載の発明の効果に加え、表示部材が弾性部材により上方に付勢されることにより、表示部材の上面の端縁は、ベゼル部の内壁面に当接する。これにより、表示部材と支持枠との隙間がなくなり、ユーザが上方より表示装置を見た場合に、見栄えがよくなる。また、表示部材が熱膨張等で膨張した場合、表示部材はベゼル部のテーパ状の内壁面をスライドし、下方に移動する。また、熱収縮等で収縮した場合、表示部材は上方に付勢されているため、ベゼル部のテーパ状の内壁面をスライドし、上方に移動する。このため、表示部材と支持枠との隙間がない状態を保つことができる。よって、埃などのゴミが表示装置の内部に入るということがなくなる。
【００２８】
また、本発明の請求項１１に係る表示装置では、請求項１０に記載の発明の効果に加え、表示部材が弾性部材により上方に付勢されることにより、表示部材の周端面は、ベゼル部の内壁面の少なくとも一部に密接する。また、表示部材が熱膨張等で膨張した場合、テーパ状の内壁面をスライドし、下方に表示部材が移動するため、表示部材と支持枠との隙間がない状態を保つことができる。また、表示部材が熱収縮等で収縮した場合、表示部材は上方に付勢されているため、ベゼル部のテーパ状の内壁面をスライドし、上方に移動する。このため、表示部材と支持枠との隙間がない状態を保つことができる。その結果、表示部材と支持枠は密接し、隙間がなくなるため、ユーザが上方より表示装置を見た場合に、見栄えがよくなる。また、表示部材と支持枠との隙間がないため埃などのゴミが表示装置の内部に入るということがなくなる。
【００２９】
また、本発明の請求項１２に係る表示装置では、請求項８乃至１１に記載の発明の効果に加え、ベゼル部の内壁面は、支持枠の内側より外側に突出するように湾曲した形状を有している。そして、表示部材が、弾性部材により上方に付勢されることにより、表示部材の上面の端縁は、ベゼル部の内壁面に当接する。これにより、表示部材と支持枠との隙間がなくなり、ユーザが上方より表示装置を見た場合に、見栄えがよくなる。また、表示部材が熱膨張等で膨張した場合、表示部材はベゼル部の湾曲状の内壁面をスライドし、下方に移動する。また、表示部材が熱収縮等で収縮した場合は、上方に付勢されているため、ベゼル部の湾曲状の内壁面をスライドし、上方に移動する。このため、表示部材と支持枠との隙間がない状態を保つことができる。よって、埃などのゴミが表示装置の内部に入るということがなくなる。
【００３０】
また、本発明の請求項１３に係る表示装置では、請求項１２に記載の発明の効果に加え、板部材が弾性部材により上方に付勢されることにより表示部材の周端面は、ベゼル部の内壁面の少なくとも一部に密接する。また、熱膨張等で表示部材が膨張した場合は、湾曲状の内壁面をスライドし、下方に表示部材が移動するため、表示部材と支持枠との隙間がない状態を保つことができる。また、表示部材が熱収縮等で収縮した場合、表示部材は上方に付勢されているため、ベゼル部の湾曲状の内壁面をスライドし、上方に移動する。このため、表示部材と支持枠との隙間がない状態を保つことができる。その結果、表示部材と支持枠は密接し、隙間がなくなるため、ユーザが上方より表示装置を見た場合に、見栄えがよくなる。また、表示部材と支持枠との隙間がないため埃などのゴミが表示装置の内部に入るということがなくなる。
【発明を実施するための最良の形態】
【００３１】
以下本発明の一実施の形態である表示装置１００について、図１及び図２を参照して説明する。本実施の形態の表示装置１００においては、公知の抵抗膜方式のタッチパネルが用いられている。図１は、表示装置１００の平面図である。図２は、表示装置１００のＩ−Ｉ線（図１）における矢視方向断面図である。ここで、図１において紙面手前側を「表示装置１００の上側」、紙面奥側を「表示装置１００の下側」、紙面左側を「表示装置１００の左側」、紙面右側を「表示装置１００の右側」、紙面下側を「表示装置１００の前側」、紙面上側を「表示装置１００の後側」とする。なお、図２においての表示装置１００の断面図は、上側の一部のみを図示したものである。また、図１の表示装置１００の略中央でＩ−Ｉ線と直行する線で切った断面も、図２と同様な部材の構成となっている。
【００３２】
まず、表示装置１００の構造について説明する。図１及び図２に示すように、表示装置１００は、略直方体状に形成されている。表示装置１００は、画像を表示するための平面視長方形の板状に形成された透明部材７０と、その透明部材７０の表示面となる上面の周囲を上方から取り囲むと共に、中央に平面視長方形状の開口部８０を有する平面視枠状のベゼル部１２と、そのベゼル部１２の上面からベゼル部１２の上面と直交する方向に延設された側壁１１Ａ，１１Ｂ，１１Ｃ，１１Ｄと、その側壁１１Ａ，１１Ｂ，１１Ｃ，１１Ｄの内側を下方から閉塞するように設けられた平面視長方形状の底壁１７とを主体に構成されている。なお、底壁１７の下側には、表示装置１００の表示部材９０に像を表示するための回路基板（図示外）、表示装置１００に電力の供給を行うバッテリー（図示外）等が備えられるが、説明は省略する。
【００３３】
次に、ベゼル部１２の断面の形状について説明する。図２に示すように、ベゼル部１２の内壁面のうち左右の内壁面１３Ａ，１３Ｃは、下方に向かうに従って外方に傾斜するテーパ状に形成されている。なお、側壁１１Ａの内面９Ａに対する内壁面１３Ａの傾斜角度は、一例として３０．０°となっている。また、同様に側壁１１Ｃの内面９Ｃに対する内壁面１３Ｃの傾斜角度は、一例として３０．０°となっている。この傾斜角度は、表示装置１００を上方より見た場合の見栄えを良くする効果と、寸法変化吸収を考慮して算出した値である。
【００３４】
次に、表示部材９０について説明する。表示部材９０は、周知のマイクロカプセル、液晶、プラズマ、有機ＥＬ等を用いて種々の画像、文字等を表示することができる板状の部材である。例えば、携帯用の電子機器等に搭載されるものであり、制御装置（図示外）により駆動制御される。そして、この表示部材９０は、底壁１７の略中央に接着層６０を介して固定されている。
【００３５】
次に、弾性部材４０について説明する。図２に示すように、弾性部材４０は、表示部材９０の左右の端面に接するように底壁１７に接着層６０を介して固定されおり、ゴム等の十分に弾力性を有する材質により形成されている。
【００３６】
次に、透明部材７０について説明する。図２に示すように、透明部材７０は、弾性部材４０の上面に支持された板部材３０と、板部材３０の上面に接着剤等で固定されたタッチパネル２０とから構成されている。板部材３０は平面視長方形状に形成され、その端面は垂直面を成している。
【００３７】
また、弾性部材４０は、表示部材９０より大きな厚みを有しており、表示部材９０に衝撃や振動が伝わらないようになっており、緩衝材として機能する。
【００３８】
さらに、板部材３０の端部が、弾性部材４０の上面により支持されている。これにより、板部材３０が表示部材９０の上部を覆い、板部材３０が直接、表示部材９０に接触しない構成となっている。この板部材３０は、透過性を有するアクリル樹脂などの合成樹脂から形成されている。タッチパネル２０は、板部材３０の上面の周端縁より小さい平面視長方形状に形成されるとともに透過性を有している。そして、タッチパネル２０及び板部材３０は、共に透明性を有するため、上方より表示部材９０で表示された画像、文字等をタッチパネル２０及び板部材３０を通して見ることができる。また、タッチパネル２０は周知の抵抗膜方式のフィルム−フィルムタッチパネルであり、ユーザがタッチパネル２０の表面を手指等で押圧すると、その押圧された位置を検知することができる。また、上方よりタッチパネル２０を見ると、タッチパネル２０の上面の端縁２１Ａ，２１Ｃは、ベゼル部１２の内側の内壁面１３Ａ，１３Ｃにより隠されることでユーザには見えないようになっている。
【００３９】
また、板部材３０は弾性部材４０によって上方へ付勢され、板部材３０の上面の端縁がベゼル部１２の内壁面１３Ａ，１３Ｃに当接している。これにより、板部材３０と支持枠１０との隙間がない状態になっている。
【００４０】
次に、熱膨張により樹脂製の板部材３０が膨張した場合について説明する。板部材３０に外部より熱が加わると、板部材３０は左右及び前後方向に膨張する。なお、上下方向は、左右及び前後方向に比べて辺の長さが短く、上下方向の辺の長さに対する膨張による長さの変化量が非常に小さいため、膨張比が小さくなる。これにより、上下方向に関しては、膨張の影響は考慮しないものとする。ここで、左右及び前後方向に板部材３０が膨張すると、ベゼル部１２の内壁面１３Ａ，１３Ｃに対して板部材３０により左右及び前後方向に付勢する力が加わる。左右及び前後方向に付勢する力が加わると、板部材３０には傾斜している内壁面１３Ａ，１３Ｃに沿って下方に移動させる力が加わる。しかし、弾性部材４０により板部材３０は上方に付勢されているため、上下方向の力が釣り合った位置で止まる。これにより、板部材３０は、熱膨張により反ることなく、板部材３０の上面の端縁は、ベゼル部１２の内壁面１３Ａ，１３Ｃに当接した状態を保つ。
【００４１】
次に、熱収縮により樹脂製の板部材３０が収縮した場合について説明する。板部材３０が、外部より冷やされると、板部材３０は左右及び前後方向に収縮する。なお、上下方向は、左右及び前後方向に比べて辺の長さが短く、上下方向の辺の長さに対する膨張による長さの変化量が非常に小さいため、膨張比が小さくなる。これにより、上下方向に関しては、膨張の影響は考慮しないものとする。ここで、左右及び前後方向に板部材３０が収縮すると、板部材３０の上面の端縁が側壁１１Ａ，１１Ｃから内部の方向へ離れる。しかし、板部材３０は、弾性部材４０により上方に付勢されているため、板部材３０の上面の端縁は内壁面１３Ａ，１３Ｃのテーパ状の傾斜に沿って上方へ移動する。そして、板部材３０の上面の端縁は内壁面１３に常に当接した状態を保つ。
【００４２】
以上説明したように、上記の実施形態の表示装置１００では、板部材３０が、弾性部材４０により上方に付勢されることにより、板部材３０の上面の端縁は、ベゼル部１２の内壁面１３Ａ，１３Ｃに当接する。これにより、板部材３０とベゼル部１２との隙間がなくなり、ユーザが上方より表示装置１００を見た場合、ベゼル部１２の内側の端部によりタッチパネル２０の端縁が隠れ、見栄えがよくなる。また、板部材３０が熱膨張等で膨張した場合は、板部材３０はベゼル部１２のテーパ状に形成された内壁面１３Ａ，１３Ｃをスライドし、下方に移動する。また、熱収縮等で収縮した場合、板部材３０は弾性部材４０により上方に付勢されているため、ベゼル部１２のテーパ状に形成された内壁面１３Ａ，１３Ｃをスライドし、上方に移動する。このため、板部材３０と支持枠１０との隙間がない状態を保つことができる。その結果、熱伸縮等により板部材３０が変形した場合も見栄えが悪くなることはなくなる。また、板部材３０と支持枠１０との隙間がないため埃などのゴミが表示装置１００の内部に入るということがなくなる。また、熱膨張により、板部材３０が反り返ることがなくなるため、タッチパネル２０が板部材３０より剥がれることがなくなる。
【００４３】
尚、本発明の表示装置１００は、上記した実施の形態に限定されるものではなく、本発明の要旨を脱しない範囲内において種々変更を加え得ることは勿論である。側壁１１Ａの内面９Ａ対する内壁面１３Ａの傾斜角度及び、側壁１１Ｃの内面９Ｃ対する内壁面１３Ｃの傾斜角度は、一例として３０．０°としているが、これに限定しない。例えば、見栄えの効果と伸縮時の寸法変化吸収を考慮すると、垂直面に対して２０．０°〜４５．０°の傾斜角度の範囲内であれば問題はない。
【００４４】
また、上記の実施の形態では、板部材３０の端面のうち右側の端面３４Ａ，左側の端面３４Ｃは垂直面を成しているが、例えば、他の形状でもよい。そこで、板部材の端面の形状を変形した変形例１について、図３を参照して説明する。図３は、変形例１の表示装置１００のＩ−Ｉ線（図１）における矢視方向断面図である。図３においての表示装置１００の断面図は、上側の一部のみを図示したものである。なお、板部材３２の端面のうち右側の端面３５Ａ，左側の端面３５Ｃがテーパ形状を有する点に特徴を有する。ここで、表示装置１００の板部材３２以外は、上記実施の形態と同様のため説明を省略する。また、表示装置１００の略中央でＩ−Ｉ線と直行する線で切った断面も、同様な部材の構成となっているため説明を省略する。また、底壁１７の下側には、表示装置１００の表示部材９０に像を表示するための回路基板（図示外）、表示装置１００に電力の供給を行うバッテリー（図示外）等が備えられるが、説明は省略する。
【００４５】
まず、図３を参照して、板部材３２の形状について説明する。板部材３２の端面３５Ａ，３５Ｃは、上面より下面に向かうに従って、外方に傾斜するテーパ状に形成されている。なお、この傾斜角度は、鉛直下方向より外方に３０．０゜となっており、ベゼル部の内壁面１３と同一の傾斜角度である。そして、板部材３２は弾性部材４０により上方に付勢されることにより、板部材３２の端面３５Ａ，３５Ｃは、ベゼル部１２の内壁面１３Ａ，１３Ｃに密接している。
【００４６】
次に、熱膨張により樹脂製の板部材３２が膨張した場合について説明する。板部材３２に外部より熱が加わると、板部材３２は左右及び前後方向に膨張する。なお、上下方向は、左右及び前後方向に比べて辺の長さが短く、上下方向の辺の長さに対する膨張による長さの変化量が非常に小さいため、膨張比が小さくなる。これにより、上下方向に関しては、膨張の影響は考慮しないものとする。ここで、左右及び前後方向に板部材３２が膨張すると、ベゼル部１２の内壁面１３Ａ，１３Ｃに対して板部材３２により左右及び前後方向に付勢する力が加わる。左右及び前後方向に付勢する力が加わると、板部材３２には傾斜している内壁面１３Ａ，１３Ｃに沿って下方に移動させる力が加わる。しかし、弾性部材４０により板部材３２は上方に付勢されているため、上下方向の力が釣り合った位置で止まる。これにより、板部材３２は、熱膨張により反ることなく、板部材３２の端面３５Ａ，３５Ｃは、ベゼル部１２の内壁面１３Ａ，１３Ｃに密接した状態を保つ。
【００４７】
次に、熱収縮により樹脂製の板部材３２が収縮した場合について説明する。板部材３２が、外部より冷やされると、板部材３２は左右及び前後方向に収縮する。なお、上下方向は、左右及び前後方向に比べて辺の長さが短く、上下方向の辺の長さに対する膨張による長さの変化量が非常に小さいため、膨張比が小さくなる。これにより、上下方向に関しては、膨張の影響は考慮しないものとする。ここで、左右及び前後方向に板部材３２が収縮すると、板部材３２の上面の端縁が側壁１１Ａ，１１Ｃから内方へ離れる。しかし、板部材３２は、弾性部材４０により上方に付勢されているため、板部材３２の端面３５Ａ，３５Ｃはベゼル部１２の内壁面１３Ａ，１３Ｃの傾斜に沿って上方へ移動する。そして、板部材３２の端面３５Ａ，３５Ｃはベゼル部１２の内壁面１３Ａ，１３Ｃに常に密接した状態を保つことができる。
【００４８】
以上のように、上記した変形例１の表示装置１００では、板部材３２が、弾性部材４０により上方に付勢されることにより、板部材３２の端面３５Ａ，３５Ｃは、ベゼル部１２の内壁面１３Ａ，１３Ｃに密接する。これにより、板部材３２と支持枠１０との隙間がなくなり、ユーザが上方より表示装置１００を見た場合、ベゼル部１２の内側の端部によりタッチパネル２０の端縁が隠れ、見栄えがよくなる。また、板部材３２が熱膨張等で膨張した場合は、板部材３２はベゼル部１２の内壁面１３Ａ，１３Ｃをスライドし、下方に移動する。また、熱収縮等で収縮した場合、板部材３２は弾性部材４０により上方に付勢されているため、ベゼル部１２の内壁面１３Ａ，１３Ｃをスライドし、上方に移動する。このため、板部材３２と支持枠１０との隙間がない状態を保つことができる。その結果、熱伸縮等により板部材３２が変形した場合も見栄えが悪くなることはなくなる。また、板部材３０と支持枠１０との隙間がないため埃などのゴミが表示装置１００の内部に入るということがなくなる。また、熱膨張により、板部材３２が反り返ることがなくなるため、タッチパネル２０が板部材３２より剥がれることがなくなる。
【００４９】
また、上記の実施の形態では、ベゼル部１２の内側の端面である内壁面１３Ａ，１３Ｃは、下方に向かうに従って、外方に傾斜するテーパ状に形成されているが、内壁面１３Ａ，１３Ｃを外方に突出するような湾曲状に形成してもよい。また、その際、板部材３０の端面も同様に内部より外方に突出するような湾曲状に形成してもよい。そこで、板部材の端面を変形した変形例２について、図４を参照して説明する。図４は、変形例２の表示装置１００のＩ−Ｉ線（図１）における矢視方向断面図である。図４においての表示装置１００の断面図は、上側の一部のみを図示したものである。なお、板部材３３の端面のうち右側の端面３６Ａ，左側の端面３６Ｃが湾曲形状を有する点に特徴を有する。ここで、表示装置１００の板部材３３及び支持枠１０のベゼル部１４以外は、上記実施の形態と同様のため説明を省略する。また、表示装置１００の略中央でＩ−Ｉ線と直行する線で切った断面も、同様な部材の構成となっているため説明を省略する。また、底壁１７の下側には、表示装置１００の表示部材９０に像を表示するための回路基板（図示外）、表示装置１００に電力の供給を行うバッテリー（図示外）等が備えられるが、説明は省略する。
【００５０】
次に、図４を参照して、板部材３３の形状について説明する。板部材３３の端面３６Ａ，３６Ｃは、板部材３３の内部より外方に突出するように湾曲した形状に形成されている。ここで、側壁１１Ａ，１１Ｃの内面９Ａ，９Ｃに対する湾曲した端面３６Ａ，３６Ｃの接平面との角度は、２０．０°〜６０．０°となっている。この角度は、表示装置１００を上方より見た場合の見栄えを良くする効果と、寸法変化吸収を考慮して設計者等が自らの経験や過去の実験に基づいて、算出した値である。
【００５１】
ベゼル部１４の形状について説明する。ベゼル部１４の内側の端面のうち右側の端面である内壁面１５Ａ，左側の端面である１５Ｃは、板部材３３の端面３６Ａ，３６Ｃと同様に支持枠１０の内部より外方に突出するように湾曲した形状に形成されている。ここで、側壁１１Ａ，１１Ｃの内面９Ａ，９Ｃに対する板部材３３の端面３６Ａ，３６Ｃが接する部分の内壁面１５Ａ，１５Ｃの接平面との角度は、２０．０°〜６０．０°となっている。この角度は、表示装置１００を上方より見た場合の見栄えを良くする効果と、寸法変化吸収を考慮して算出した値である。そして、板部材３３は弾性部材４０により上方に付勢されることにより、板部材３３の端面３６Ａ，３６Ｃは、ベゼル部１４の内壁面１５Ａ，１５Ｃに密接している。
【００５２】
次に、熱膨張により樹脂製の板部材３３が膨張した場合について説明する。板部材３３に外部より熱が加わると、板部材３３は左右及び前後方向に膨張する。なお、上下方向は、左右及び前後方向に比べて膨張比が非常に小さいため膨張の影響は考慮しないものとする。ここで、左右及び前後方向に板部材３３が膨張すると、ベゼル部１４の内壁面１５Ａ，１５Ｃに対して板部材３３により左右及び前後方向に付勢する力が加わる。左右及び前後方向に付勢する力が加わると、板部材３３には湾曲している内壁面１５Ａ，１５Ｃに沿って下方に移動させる力が加わる。しかし、弾性部材４０により板部材３３は上方に付勢されているため、上下方向の力が釣り合った位置で止まる。これにより、板部材３３は、熱膨張により反ることなく、板部材３３の端面３６Ａ，３６Ｃは、ベゼル部１４の内壁面１５Ａ，１５Ｃに密接した状態を保つ。
【００５３】
次に、熱収縮により樹脂製の板部材３３が収縮した場合について説明する。板部材３３が、外部より冷やされると、板部材３３は左右及び前後方向に収縮する。なお、上下方向は、左右及び前後方向に比べて収縮比が非常に小さいため収縮の影響は考慮しないものとする。ここで、左右及び前後方向に板部材３３が収縮すると、板部材３３の周壁がベゼル部１４の内壁面１５Ａ，１５Ｃから内方へ離れる。しかし、板部材３３は、弾性部材４０により上方に付勢されているため、板部材３３の周壁はベゼル部１４の内壁面１５Ａ，１５Ｃの湾曲した形状に沿って上方へ移動する。そして、板部材３３の周壁は内壁面１５Ａ，１５Ｃに常に密接した状態を保つことができる。
【００５４】
以上のように、上記した変形例２の表示装置１００では、板部材３３が、弾性部材４０により上方に付勢されることにより、板部材３３の端面３６Ａ，３６Ｃは、ベゼル部１４の内壁面１５Ａ，１５Ｃに密接する。これにより、板部材３３と支持枠１０との隙間がなくなり、ユーザが上方より表示装置１００を見た場合、ベゼル部１４の内側の端部によりタッチパネル２０の端縁が隠れ、見栄えがよくなる。また、板部材３３が熱膨張等で膨張した場合は、板部材３３はベゼル部１４の内壁面１５Ａ，１５Ｃをスライドし、下方に移動する。また、熱収縮等で収縮した場合、板部材３３は弾性部材４０により上方に付勢されているため、ベゼル部１４の内壁面１５Ａ，１５Ｃをスライドし、上方に移動する。その結果、板部材３３と支持枠１０との隙間がない状態を保つことができる。よって、熱伸縮等により板部材３３が変形した場合も見栄えが悪くなることはなくなる。また、板部材３３と支持枠１０との隙間がないため埃などのゴミが表示装置１００の内部に入るということがなくなる。また、熱膨張により、板部材３３が反り返ることがなくなるため、タッチパネル２０が板部材３３より剥がれることがなくなる。
【００５５】
また、上記の実施の形態では、表示部材９０の下面と、弾性部材４０の下面とは同一高さとなっているが、異なった高さにしてもよい。そこで、弾性部材の形状を変形した変形例３について、図５を参照して説明する。図５は、変形例３の表示装置１００のＩ−Ｉ線（図１）における矢視方向断面図である。図５においての表示装置１００の断面図は、上側の一部のみを図示したものである。なお、表示部材９０が底壁１７の上面に設けられた台座１８により支持され、弾性部材４１は、上記の実施の形態の弾性部材４０よりも厚みを有する点に特徴を有する。ここで、表示部材９０を支持する台座１８及び弾性部材４１以外は、上記実施の形態と同様のため説明を省略する。また、表示装置１００の略中央でＩ−Ｉ線と直行する線で切った断面も、同様な部材の構成となっているため説明を省略する。また、底壁１７の下側には、表示装置１００の表示部材９０に像を表示するための回路基板（図示外）、表示装置１００に電力の供給を行うバッテリー（図示外）等が備えられるが、説明は省略する。
【００５６】
次に、図５を参照して、台座１８及び表示部材９０について説明する。台座１８は、板状の合成樹脂により形成され、底壁１７の上面により支持されている。そして、弾性部材４１により周囲を取り囲まれている。表示部材９０は、台座１８の上面に接着層６０を介して固定され、台座１８と同様に弾性部材４１により周囲を取り囲まれている。なお、弾性部材４１は上記の実施の形態の弾性部材４０よりも厚みを有しており、表示部材９０の上面が、板部材３０の下面に接しないような構成になっている。
【００５７】
以上のような構成により、表示部材９０は底壁１７の上面に直接、固定されることなく任意の高さに固定することができる。これにより、板部材３０と表示部材９０との距離を調整することが可能となる。
【００５８】
また、上記の実施の形態では、表示部材９０は底壁１７により支持され、弾性部材４０により周囲を取り囲まれているが、表示部材９０が弾性部材４０の上面により支持され、ベゼル部１２に当接するようにしてもよい。そこで、表示部材をベゼル部に当接させた変形例４について、図６を参照して説明する。図６は、変形例４の表示装置１００のＩ−Ｉ線（図１）における矢視方向断面図である。図６においての表示装置１００の断面図は、上側の一部のみを図示したものである。なお、タッチパネルをなくした状態で、樹脂製の表示部材９１が弾性部材４０の上面により付勢され、ベゼル部１２に当接している点に特徴を有する。ここで、支持枠１０，底壁１７及び弾性部材４０は、上記実施の形態と同様の形状及び位置関係のため説明を省略する。また、表示装置１００の略中央でＩ−Ｉ線と直行する線で切った断面も、同様な部材の構成となっているため説明を省略する。また、底壁１７の下側には、表示装置１００の表示部材９１に像を表示するための回路基板（図示外）、表示装置１００に電力の供給を行うバッテリー（図示外）等が備えられるが、説明は省略する。
【００５９】
次に、図６を参照して、表示部材９１について説明する。表示部材９１は、透過性を有するアクリル樹脂などの合成樹脂より形成されており、文字等を表示することができる板状の部材である。表示部材９１は平面視長方形状に形成され、その端面は垂直面を成している。そして、弾性部材４０の上面により支持され、上方に付勢されることで表示部材９１の上面の端縁がベゼル部１２の内壁面１３Ａ，１３Ｃに当接した状態を保っている。
【００６０】
次に、熱膨張により樹脂製の表示部材９１が膨張した場合について説明する。表示部材９１に外部より熱が加わると、表示部材９１は左右及び前後方向に膨張する。なお、上下方向は、左右及び前後方向に比べて辺の長さが短く、上下方向の辺の長さに対する膨張による長さの変化量が非常に小さいため、膨張比が小さくなる。これにより、上下方向に関しては、膨張の影響は考慮しないものとする。ここで、左右及び前後方向に表示部材９１が膨張すると、ベゼル部１２の内壁面１３Ａ，１３Ｃに対して表示部材９１により左右及び前後方向に付勢する力が加わる。左右及び前後方向に付勢する力が加わると、表示部材９１には傾斜している内壁面１３Ａ，１３Ｃに沿って下方に移動させる力が加わる。しかし、弾性部材４０により表示部材９１は上方に付勢されているため、上下方向の力が釣り合った位置で止まる。これにより、表示部材９１は、熱膨張により反ることなく、表示部材９１の上面の端縁は、ベゼル部１２の内壁面１３Ａ，１３Ｃに当接した状態を保つ。
【００６１】
次に、熱収縮により樹脂製の表示部材９１が収縮した場合について説明する。表示部材９１が、外部より冷やされると、表示部材９１は左右及び前後方向に収縮する。なお、上下方向は、左右及び前後方向に比べて辺の長さが短く、上下方向の辺の長さに対する膨張による長さの変化量が非常に小さいため、膨張比が小さくなる。これにより、上下方向に関しては、膨張の影響は考慮しないものとする。ここで、左右及び前後方向に表示部材９１が収縮すると、表示部材９１の上面の端縁が側壁１１Ａ，１１Ｃから内部の方向へ離れる。しかし、表示部材９１は、弾性部材４０により上方に付勢されているため、表示部材９１の上面の端縁は内壁面１３Ａ，１３Ｃのテーパ状の傾斜に沿って上方へ移動する。そして、表示部材９１の上面の端縁は内壁面１３Ａ，１３Ｃに常に当接した状態を保つ。
【００６２】
以上のように、上記した変形例４の表示装置１００では、表示部材９１が、弾性部材４０により上方に付勢されることにより、表示部材９１の上面の端縁は、ベゼル部１２の内壁面１３Ａ，１３Ｃに当接する。これにより、表示部材９１と支持枠１０との隙間がなくなり、ユーザが上方より表示装置１００を見た場合、ベゼル部１２の内側の端部により表示部材９１の端縁が隠れ、見栄えがよくなる。また、表示部材９１が熱膨張等で膨張した場合は、表示部材９１はベゼル部１２の内壁面１３Ａ，１３Ｃをスライドし、下方に移動する。また、熱収縮等で収縮した場合、表示部材９１は弾性部材４０により上方に付勢されているため、ベゼル部１２の内壁面１３Ａ，１３Ｃをスライドし、上方に移動する。その結果、表示部材９１と支持枠１０との隙間がない状態を保つことができる。よって、熱伸縮等により表示部材９１が変形した場合も見栄えが悪くなることはなくなる。また、表示部材９１と支持枠１０との隙間がないため埃などのゴミが表示装置１００の内部に入るということがなくなる。
【００６３】
また、上記した変形例４において、表示部材９１の端面のうち右側の端面９２Ａ，左側の端面９２Ｃを、上面より下面に向かうに従って、外方に傾斜するテーパ状に形成してもよい。なお、この傾斜角度は、鉛直下方向より外方に３０．０゜とし、ベゼル部の内壁面１３Ａ，１３Ｃと同一の傾斜角度である。これにより、表示部材９１が弾性部材４０により上方に付勢され、表示部材９１の端面９２Ａ，９２Ｃは、ベゼル部１２の内壁面１３Ａ，１３Ｃに密接される。その結果、熱伸縮等により表示部材９１が変形した場合も、表示部材９１と支持枠１０との隙間がない状態を保つことができ、見栄えが悪くなることはなくなる。また、表示部材９１と支持枠１０との隙間がないため埃などのゴミが表示装置１００の内部に入るということがなくなる。
【００６４】
また、上記した変形例４において、表示部材９１の端面９２Ａ，９２Ｃを表示部材９１の内部より外方に突出するように湾曲した形状に形成し、ベゼル部１２の内側の端面である内壁面１３Ａ，１３Ｃを表示部材９１の端面９２Ａ，９２Ｃと同様に支持枠１０の内部より外方に突出するように湾曲した形状に形成してもよい。そして、表示部材９１が弾性部材４０により上方に付勢されることにより、表示部材９１の端面９２Ａ，９２Ｃは、ベゼル部１２の内壁面１３Ａ，１３Ｃに密接される。その結果、熱伸縮等により表示部材９１が変形した場合も、表示部材９１と支持枠１０との隙間がない状態を保つことができ、見栄えが悪くなることはなくなる。また、表示部材９１と支持枠１０との隙間がないため埃などのゴミが表示装置１００の内部に入るということがなくなる。
【００６５】
なお、上記実施の形態における底壁１７が「支持部材」に該当する。
【図面の簡単な説明】
【００６６】
【図１】表示装置１００の平面図である。
【図２】表示装置１００のＩ−Ｉ線（図１）における矢視方向断面図である。
【図３】変形例１の表示装置１００のＩ−Ｉ線（図１）における矢視方向断面図である。
【図４】変形例２の表示装置１００のＩ−Ｉ線（図１）における矢視方向断面図である。
【図５】変形例３の表示装置１００のＩ−Ｉ線（図１）における矢視方向断面図である。
【図６】変形例４の表示装置１００のＩ−Ｉ線（図１）における矢視方向断面図である。
【符号の説明】
【００６７】
１０    支持枠
１２，１４    ベゼル部
１３Ａ，１３Ｃ，１５Ａ，１５Ｃ    内壁面
１７    底壁
２０    タッチパネル
３０，３２，３３    板部材
４０，４１    弾性部材
７０    透明部材
９０，９１    表示部材
１００    表示装置
【図１】
2010020057.tif 000003
【図２】
2010020057.tif 000004
【図３】
2010020057.tif 000005
【図４】
2010020057.tif 000006
【図５】
2010020057.tif 000007
【図６】
2010020057.tif 000008